(57)【特許請求の範囲】
【請求項１】
電子レンジ加熱可能容器の気体放出用空隙の封鎖テープであって、封鎖テープが、透明テープ基材と、透明テープ基材の上に部分的に積層された易剥離層と、透明テープ基材及び易剥離層の上に積層された印刷層と、印刷層の上に直接積層された粘着剤層とを含み、気体放出用空隙上に粘着剤層を貼着した後に剥離したときに易剥離層が透明テープ基材又は印刷層から剥落するか又は変形するように構成されていること、粘着剤層が、最初の貼着時で、０．５〜６．０Ｎ／１０ｍｍ、再貼着時で、０．３〜５．０Ｎ／１０ｍｍの粘着力を有し、粘着剤層が、剥離されたときに電子レンジ加熱可能容器上に糊残りせず、かつ剥離された後に再度気体放出用空隙に貼着して気体放出用空隙を封止することが可能であること、及び透明テープ基材、易剥離層、印刷層、及び粘着剤層の厚さがそれぞれ２５〜５０μｍ、０．３〜３μｍ、０．３〜３μｍ、及び１０〜５０μｍであることを特徴とする封鎖テープ。
【請求項２】
電子レンジ加熱可能容器の気体放出用空隙の封鎖テープであって、封鎖テープが、透明テープ基材と、透明テープ基材の上に部分的に積層された易剥離層と、透明テープ基材及び易剥離層の上に積層された粘着剤層とを含み、気体放出用空隙上に粘着剤層を貼着した後に剥離したときに易剥離層が透明テープ基材又は粘着剤層から剥落するか又は変形するように構成されていること、粘着剤層が、最初の貼着時で、０．５〜６．０Ｎ／１０ｍｍ、再貼着時で、０．３〜５．０Ｎ／１０ｍｍの粘着力を有し、粘着剤層が、剥離されたときに電子レンジ加熱可能容器上に糊残りせず、かつ剥離された後に再度気体放出用空隙に貼着して気体放出用空隙を封止することが可能であること、及び透明テープ基材、易剥離層、及び粘着剤層の厚さがそれぞれ２５〜５０μｍ、０．３〜３μｍ、及び１０〜５０μｍであることを特徴とする封鎖テープ。
【請求項３】
把持可能な非粘着部分として、粘着剤層の端部の上に粘着剤層を覆う被覆層を設けたことを特徴とする請求項１又は２に記載の封鎖テープ。
【請求項４】
透明テープ基材の易剥離層の積層面とは反対の面の上に、情報表示のための印刷が施されていることを特徴とする請求項１〜３のいずれかに記載の封鎖テープ。
【請求項５】
粘着剤層がゴム系粘着剤から構成されていることを特徴とする請求項１〜４のいずれかに記載の封鎖テープ。
【請求項６】
容器本体と、容器本体の開口部を覆いかつ容器からの気体放出用空隙を有する上蓋とからなる電子レンジ加熱可能容器であって、請求項１〜５のいずれかに記載の封鎖テープの粘着剤層が、気体放出用空隙を完全に覆うように貼着されていることを特徴とする電子レンジ加熱可能容器。
【発明の詳細な説明】
【技術分野】
【０００１】
本発明は、異物混入防止機能と開封確認機能と再封機能を有する電子レンジ加熱可能容器の気体放出用空隙の封鎖テープに関する。
【背景技術】
【０００２】
スーパーなどの食品売り場で販売されている弁当、惣菜等の容器は、環境負荷の低減を目的として、従来主流だった容器本体と上蓋の全体を覆うラップ包装から、上蓋を容器本体に嵌合させた状態で上蓋が容器本体から外れないように粘着テープを貼付するテープ包装や上蓋と容器本体の結合部分をフィルムで覆うサイドシュリンク包装が採用されている。
【０００３】
テープ包装やサイドシュリンク包装の容器は、一般に電子レンジ加熱可能なものを採用しており、電子レンジ加熱時の蒸気や発酵などによって生じる気体を逃がし、内圧を調整するための空隙部が、上蓋の一部に設けられている。該空隙部には、従来から異物混入を防止する目的で両端部を貼着する粘着テープが設けられていたが、このような粘着テープは、空隙部をまたいで上から圧迫するため、気体の逃避や内圧の調整が十分に行えないという問題があった。
【０００４】
かかる問題を克服するために、上蓋の気体放出用の空隙部として、凹部に形成された切り欠き弁と、凹部の周縁部に形成された微小な蒸気抜き溝とを設け、凹部及び蒸気抜き溝を覆い、蒸気抜き溝の外周部の一部を覆わないようにして貼付ラベルを貼着することによって、蒸気抜き溝の外周部からの気体放出を良好にした電子レンジ加熱可能な弁当容器が提案されている（特許文献１参照）。
【０００５】
しかしながら、特許文献１の弁当容器は、貼付ラベルが蒸気抜き溝の外周部の一部を覆っていないため、空隙部を完全に封止できず、その覆っていない部分に異物が混入又は蓄積しやすく、衛生上の問題があった。また、この貼付ラベルは、そもそもユーザーや第三者が剥離することを想定しておらず、貼付ラベルを空隙部から剥離した後に容器内容物の流出の防止や安全性を図るために再び封止したいときに十分に粘着性を保てず空隙部を再度封止できないという問題があった。さらに、この貼付ラベルは、開封されたことを確認できないものであり、不正に貼付ラベルを剥離して空隙部を暴露して再封止しても外からは判別しにくいという問題があった。
【先行技術文献】
【特許文献】
【０００６】
【特許文献１】特開２００９−２８３２５号公報
【発明の概要】
【発明が解決しようとする課題】
【０００７】
本発明は、かかる従来技術の問題を解消するために創案されたものであり、その目的は、異物混入防止機能と開封確認機能と再封機能を有する電子レンジ加熱可能容器の気体放出用空隙の封鎖テープ、及びそれを気体放出用空隙に完全に覆うように貼着した電子レンジ加熱可能容器を提供することであり、具体的には電子レンジ加熱前の上蓋の気体放出用空隙への異物混入の完全防止及び封鎖テープの不正開封の容易な判別、並びに封鎖テープ剥離後（電子レンジ加熱後）の気体放出用空隙の再封止を達成することができるものを提供することにある。
【課題を解決するための手段】
【０００８】
本発明者は、上記の目的を達成するために鋭意検討した結果、電子レンジ加熱可能容器の気体放出用空隙の封鎖テープとして、電子レンジ加熱前までは気体放出用空隙を完全に覆って完全封止して異物混入を防止し、電子レンジ加熱時には気体放出のために剥離し、電子レンジ加熱後は必要により再封止することができる構成、そして電子レンジ加熱前の不正開封を容易に確認することができる構成を採用することにより、異物混入防止機能と開封確認機能と再封機能を簡単な手段で効果的に達成することができることを見出し、本発明の完成に至った。
【０００９】
即ち、本発明は、以下の（１）〜（６）の構成を有するものである。
（１）電子レンジ加熱可能容器の気体放出用空隙の封鎖テープであって、封鎖テープが、透明テープ基材と、透明テープ基材の上に部分的に積層された易剥離層と、透明テープ基材及び易剥離層の上に積層された印刷層と、印刷層の上に直接積層された粘着剤層とを含み、気体放出用空隙上に粘着剤層を貼着した後に剥離したときに易剥離層が透明テープ基材又は印刷層から剥落するか又は変形するように構成されていること、粘着剤層が、最初の貼着時で、０．５〜６．０Ｎ／１０ｍｍ、再貼着時で、０．３〜５．０Ｎ／１０ｍｍの粘着力を有し、粘着剤層が、剥離されたときに電子レンジ加熱可能容器上に糊残りせず、かつ剥離された後に再度気体放出用空隙に貼着して気体放出用空隙を封止することが可能であること、及び透明テープ基材、易剥離層、印刷層、及び粘着剤層の厚さがそれぞれ２５〜５０μｍ、０．３〜３μｍ、０．３〜３μｍ、及び１０〜５０μｍであることを特徴とする封鎖テープ。
（２）電子レンジ加熱可能容器の気体放出用空隙の封鎖テープであって、封鎖テープが、透明テープ基材と、透明テープ基材の上に部分的に積層された易剥離層と、透明テープ基材及び易剥離層の上に積層された粘着剤層とを含み、気体放出用空隙上に粘着剤層を貼着した後に剥離したときに易剥離層が透明テープ基材又は粘着剤層から剥落するか又は変形するように構成されていること、粘着剤層が、最初の貼着時で、０．５〜６．０Ｎ／１０ｍｍ、再貼着時で、０．３〜５．０Ｎ／１０ｍｍの粘着力を有し、粘着剤層が、剥離されたときに電子レンジ加熱可能容器上に糊残りせず、かつ剥離された後に再度気体放出用空隙に貼着して気体放出用空隙を封止することが可能であること、及び透明テープ基材、易剥離層、及び粘着剤層の厚さがそれぞれ２５〜５０μｍ、０．３〜３μｍ、及び１０〜５０μｍであることを特徴とする封鎖テープ。
（３）把持可能な非粘着部分として、粘着剤層の端部の上に粘着剤層を覆う被覆層を設けたことを特徴とする（１）又は（２）に記載の封鎖テープ。
（４）透明テープ基材の易剥離層の積層面とは反対の面の上に、情報表示のための印刷が施されていることを特徴とする（１）〜（３）のいずれかに記載の封鎖テープ。
（５）粘着剤層がゴム系粘着剤から構成されていることを特徴とする（１）〜（４）のいずれかに記載の封鎖テープ。
（６）容器本体と、容器本体の開口部を覆いかつ容器からの気体放出用空隙を有する上蓋とからなる電子レンジ加熱可能容器であって、（１）〜（５）のいずれかに記載の封鎖テープの粘着剤層が、気体放出用空隙を完全に覆うように貼着されていることを特徴とする電子レンジ加熱可能容器。
【発明の効果】
【００１０】
本発明の封鎖テープは、電子レンジ加熱可能容器の気体放出用空隙を完全に覆うようにしているので、気体放出用空隙の部分への異物の混入又は蓄積がなく、本発明の封鎖テープを採用した電子レンジ加熱可能容器は、衛生状態に極めて優れている。
【００１１】
また、本発明の封鎖テープは、粘着剤層を貼着してから剥離すると易剥離層が透明テープ基材又は印刷層もしくは粘着剤層から剥落するか又は変形するように構成されているので、不正開封したとしても易剥離層の剥落又は変形による外観の乱れを透明テープ基材側から容易に観察することができ、本発明の封鎖テープを採用した電子レンジ加熱可能容器は、良好な不正開封確認機能を持つことができる。
【００１２】
さらに、本発明の封鎖テープは、粘着剤層が、剥離された後に再度気体放出用空隙に貼着して封止することができるので、本発明の封鎖テープを採用した電子レンジ加熱可能容器は、電子レンジ加熱後も容器内容物の流出の防止や安全性を簡単に達成することができる。
【図面の簡単な説明】
【００１３】
【図１】図１は、本発明の封鎖テープを使用する電子レンジ加熱可能容器の一例の概略斜視図である。
【図２】図２は、図１の電子レンジ加熱可能容器を側面から見た概略断面図である。
【図３】図３は、本発明の封鎖テープの第一実施形態の概略断面図である。
【図４】図４は、本発明の封鎖テープの第一実施形態に把持可能な非粘着部分をさらに設けた例の概略断面図である。
【図５】図５は、本発明の封鎖テープの第二実施形態の概略断面図である。
【図６】図６は、本発明の封鎖テープの第二実施形態に把持可能な非粘着部分をさらに設けた例の概略断面図である。
【発明を実施するための形態】
【００１４】
本発明の封鎖テープ及びそれを貼着した電子レンジ加熱可能容器について図面を参照しながら以下説明するが、本発明はこれらに限定されるものではない。
【００１５】
本発明の封鎖テープは、電子レンジ加熱可能容器の気体放出用空隙を封止するためのものであり、気体放出用空隙への異物混入防止機能と電子レンジ加熱前の不正開封確認機能と電子レンジ加熱後の再封機能を有することを特徴とする。本発明の電子レンジ加熱可能容器としては、気体放出用空隙がある限り従来公知のものを使用することができるが、例えば図１、図２に示すように、下側の容器本体１と、容器本体１の開口部を上から覆い、側部で容器本体１と嵌合又は結合する上蓋２とからなり、上蓋２には電子レンジ加熱時に気体を放出するための気体放出用空隙３が設けられているものが挙げられる。電子レンジ加熱可能容器は、一般に弁当内容物、惣菜、米飯、麺類、肉類等の食品が収納される。
【００１６】
本発明の封鎖テープ４は、電子レンジ加熱可能容器の製造時には上蓋２の気体放出用空隙３を完全に覆うように粘着剤層側から気体放出用空隙３に貼着され、電子レンジ加熱可能容器をユーザーが使用するまで気体放出用空隙３への異物混入を防止し、電子レンジ加熱時には本発明の封鎖テープを剥離して気体放出用空隙３を露出し、そこから電子レンジ加熱時の気体を放出し、電子レンジ加熱後は必要により本発明の封鎖テープによって気体放出用空隙３を再封して内容物の流出や安全性を確保しようとするものである。また、本発明の封鎖テープは、電子レンジ加熱可能容器をユーザーが使用するまで（即ち、電子レンジ加熱前）までに不正開封されたときに易剥離層の剥落又は変形による外観の変化により容易にそれを判別することができるものである。以下、本発明の封鎖テープの典型的な実施形態を示す。
【００１７】
（第一実施形態）
図３は、本発明の封鎖テープの第一実施形態の概略断面図を示す。図３において、５は、透明テープ基材であり、６は、透明テープ基材５の上に部分的に積層された易剥離層であり、７は、透明テープ基材５及び易剥離層６の上に積層された印刷層であり、８は、印刷層７の上に積層された粘着剤層である。
【００１８】
透明テープ基材５としては、寸法安定性を有する熱可塑性樹脂から形成される透明フィルムを使用することが好ましく、例えばポリプロピレンフィルム、ポリエチレンフィルム、ポリエステルフィルム、ポリアミドフィルム、ポリスチレンフィルムなどの従来公知の透明テープ基材を採用することができる。透明テープ基材５の厚みは、好ましくは２５〜５０μｍである。透明テープ基材５の大きさは、気体放出用空隙３を完全に覆う面積を有すれば十分であり、その形状は、長方形、正方形などの矩形、それらの角を丸めたものや円形などを採用することができる。
【００１９】
易剥離層６は、封鎖テープ４の粘着剤層８を被着体（気体放出用空隙３）に貼着した後に被着体から剥離したときに易剥離層６に隣接する層（図３では透明テープ基材５又は印刷層７、後述する図５では透明テープ基材５又は粘着剤層８）から容易に剥落するか又は易剥離層６自体が変形してその全体の形状を変化させる層である。易剥離層６が隣接する層から剥落するか又は易剥離層自体が変形すると、その外観変化により透明テープ基材５側から見たときに封鎖テープ４が開封されたことを確認することができる。このとき、易剥離層６を透明テープ基材５側から見たときに開封を意味する図柄、文字や記号の形になるように形成（印刷）すると、既開封状態であることを変化した部分の形によって容易に認識することができる。易剥離層６が上述のように剥落又は変形するためには、被着体と粘着剤層８の間の接着強度より易剥離層６とそれに隣接する層（図３では透明テープ基材５又は印刷層７、図５では透明テープ基材５又は粘着剤層８）の間の接着強度が弱いか、又は被着体と粘着剤層８の間の接着強度より易剥離層６の内部の破壊強度が弱いことが必要である。そのための手段としては、易剥離層６を形成する樹脂（インキ）成分にシリコーン化合物、フッ素化合物等の従来公知の剥離剤を含有させて接着力を弱める方法を採用することができる。易剥離層６の厚みは、好ましくは０．３〜３μｍである。
【００２０】
印刷層７は、それ自体着色透明であるか、又は文字、記号もしくは図柄を印刷した層であり、易剥離層６の剥落又は変形時にその状態を透明テープ基材１側から容易に把握できるようにした層である。印刷層７の材料は、特に限定されず、従来公知の着色インキや樹脂から形成することができ、着色や印刷も従来公知の方法で形成することができる。例えば、印刷層７は、溶剤型着色インキをグラビア印刷した後に乾燥して硬化することにより形成される。印刷層７の厚みは、好ましくは０．３〜３μｍである。
【００２１】
粘着剤層８は、被着体（気体放出用空隙３）を完全に覆うように粘着されるものであり、例えばゴム系粘着剤、アクリル系粘着剤、エポキシ系粘着剤、ウレタン系粘着剤等の従来公知の粘着剤が使用される。好ましくは、天然ゴム又は合成ゴムからなるゴム系粘着剤が使用される。粘着剤層８は、気体放出用空隙３を完全に封止するのに十分な粘着力を有することが必要である。また、粘着剤層８は、剥離したときに糊残りせず、再封するときに気体放出用空隙３に十分に粘着して封止できる粘着力を有することが必要である。具体的には、粘着剤層８の粘着力は、最初の貼着時で、例えば０．５〜６．０Ｎ／１０ｍｍ、好ましくは１．０〜５．０Ｎ／１０ｍｍであり、再貼着時で、例えば０．３〜５．０Ｎ／１０ｍｍ、好ましくは０．５〜４．０Ｎ／１０ｍｍである。粘着剤層８の厚みは、好ましくは１０〜５０μｍである。
【００２２】
本発明の封鎖テープは、透明テープ基材５に対して上述のような層を積層することができ、例えば気体放出用空隙を覆うのに必要な所定の厚さ及び大きさの透明テープ基材５を用意し、易剥離層６、印刷層７、粘着剤層８を従来公知の方法で順に塗布することによって作製されることができる。
【００２３】
図４は、本発明の封鎖テープの第一実施形態に把持可能な非粘着部分を端部に設けた例の概略断面図を示す。図４の封鎖テープでは、粘着剤層８の端部（図４では右端）に被覆層９を積層（塗布）した部分を設けて粘着剤層８の機能を殺し、この部分を非粘着部分１０としている。被覆層９は、被着体側の面が粘着性を実質的に持たないような材料を選択して構成することが必要である。被覆層９としては、粘着剤層８の材料に応じて選択され、例えばフッ素化合物、シリコーン、長鎖アルキルポリマー、ＵＶ硬化型インキなどの従来公知の材料を使用することができる。被覆層９の厚みは、例えば０．１〜５μｍ、好ましくは０．３〜３μｍである。この非粘着部分１０の形成により、この部分を把持することによって本発明の封鎖テープは、気体放出用空隙３から容易に剥離したり、そこに貼着することが可能である。図４の態様の封鎖テープでは、粘着剤層８が積層（塗布）されている部分又は露出されている部分だけで気体放出用空隙３を完全に覆うことが好ましい。なお、図３の封鎖テープの印刷層７の端部に粘着剤層８が積層（塗布）されていない部分を設け、この部分を非粘着部分１０とすることも可能である。
【００２４】
本発明の封鎖テープの第一実施形態では、印刷層７と粘着剤層８の間に下塗り層を設けることができる。下塗り層は、印刷層７と粘着剤層８の間の接着性が十分でない場合にそれを向上するために設けられるものであり、従来公知の材料から適宜選択して使用される。この下塗り層の形成により、本発明の封鎖テープを被着体から剥離するときに印刷層と粘着剤層の間で界面剥離することを防止することができる。
【００２５】
本発明の封鎖テープの第一実施形態では、透明テープ基材５の易剥離層６の積層面とは反対の面の上に情報表示のための印刷を施すことができる。印刷は、従来公知の材料及び方法で行なわれることができるが、易剥離層６及び印刷層７を視認できることが必要である。印刷は、例えばＵＶ硬化型インキで所望の情報を印刷してＵＶ硬化することによって達成されることができる。印刷される情報表示は、例えば封鎖テープの使用方法などであることができる。
【００２６】
（第二実施形態）
図５は、本発明の封鎖テープの第二実施形態の概略断面図を示す。図５において、５は、透明テープ基材であり、６は、透明テープ基材５の上に部分的に積層された易剥離層であり、８は、透明テープ基材５及び易剥離層６の上に積層された粘着剤層である。図５の封鎖テープに使用される透明テープ基材５、易剥離層６、及び粘着剤層８は、図３に使用される封鎖テープのものとは同じものを使用することができる。図５の第二実施形態の封鎖テープは、図３の第一実施形態の封鎖テープとは、印刷層７を設けていない点が異なる。図５の第二実施形態においても図６に示すように把持可能な非粘着部分１０として被覆層９を設けることができる。また、図５の第二実施形態においても上述のように情報表示のための印刷を施すことができる。
【実施例】
【００２７】
図１及び図２に示すような電子レンジ加熱可能容器を用意し、幕の内弁当の食材を容器本体１に入れ、容器本体１と上蓋２を側部で嵌合してサイドシュリンク包装により側部を密閉した。
【００２８】
一方、図３〜図６に示すような４つの封鎖テープを作製した。具体的には、透明テープ基材５を用意し、以下に示す各層の材料を順に積層（塗布）することにより積層した。使用した材料及び厚みの詳細は、以下の通りである。なお、易剥離層６は、電子レンジ加熱可能容器からの封鎖テープの剥離後に、上から見て「ＶＯＩＤ」の文字が見えるように形成された。なお、印刷層７は、次の層を積層（塗布）する前にグラビア印刷により形成された。
透明テープ基材５  ：ポリエステルフィルム            ；３８μｍ
易剥離層６        ：シリコーン化合物含有透明インキ  ；  １μｍ
印刷層７          ：溶剤型着色インキ                ；  １μｍ
粘着剤層８        ：天然ゴム系粘着剤                ；３５μｍ
被覆層９          ：フッ素化合物                    ；  １μｍ
【００２９】
上記のようにして作成された図３〜図６に示すような４つの封鎖テープをそれぞれ電子レンジ加熱可能容器の気体放出用空隙３を完全に覆うように粘着剤層８側から貼着した。その後、封鎖テープを完全に剥離したところ、易剥離層６の剥落が外部から観察することができ、「ＶＯＩＤ」の文字が上から見えた。封鎖テープを完全に除去した電子レンジ加熱可能容器を内容物が食用に適するように暖めた状態にしたところ、気体放出用空隙より蒸気が放出しているのが観察された。その後、除去した封鎖テープを粘着剤層８側から気体放出用空隙に再度粘着させたところ、十分に貼着し、気体放出用空隙が封止されたことを確認した。なお、図４及び図６に示すような封鎖テープは、非粘着部分を把持することによって指による剥離が容易であった。
【産業上の利用可能性】
【００３０】
本発明の封鎖テープは、異物混入防止機能と開封確認機能と再封機能を有するので、電子レンジ加熱可能容器の気体放出用空隙３を封止するのに極めて好適である。
【符号の説明】
【００３１】
１      容器本体
２      上蓋
３      気体放出用空隙
４      封鎖テープ
５      透明テープ基材
６      易剥離層
７      印刷層
８      粘着剤層
９      被覆層
１０    非粘着部分
【図１】
0006771281.tif 000002
【図２】
0006771281.tif 000003
【図３】
0006771281.tif 000004
【図４】
0006771281.tif 000005
【図５】
0006771281.tif 000006
【図６】
0006771281.tif 000007